(57)【要約】【課題】３次元表示時に容易に２次元表示する領域を指示できるようにする。【解決手段】３次元表示装置１に、３次元表示および２次元表示が可能な表示部２、およびタッチパネル方式の入力部３を設ける。表示部２への画像の表示時において、操作者が表示部２の表示面上の所望とする位置に触れると、表示制御部５はその位置を基準とした所定範囲の領域の表示次元を変更する。【選択図】図１
2010107685.tif 000002
【特許請求の範囲】
【請求項１】
画像の２次元表示および３次元表示が可能な表示手段と、
前記表示手段の表示面上において、接触された位置を検出するタッチパネル方式の位置検出手段と、
前記画像を前記表示手段に２次元表示または３次元表示し、前記位置検出手段が前記表示面における少なくとも１つの位置において前記接触を検出すると、該位置検出手段が検出した位置を基準とした所定範囲の領域の表示次元を変更する表示制御手段とを備えたことを特徴とする３次元表示装置。
【請求項２】
前記表示制御手段は、前記位置検出手段が前記接触を検出している間、前記所定範囲の領域の表示次元の変更を維持し、該接触が非検出となった場合、前記所定範囲の領域の表示次元を元に戻す手段であることを特徴とする請求項１記載の３次元表示装置。
【請求項３】
前記表示制御手段は、前記位置検出手段による前記接触の検出後に該接触が非検出となった場合、前記所定範囲の領域の表示次元の変更を維持し、該所定範囲の領域において前記位置検出手段が前記接触を検出すると、該所定範囲の領域の表示次元を元に戻す手段であることを特徴とする請求項１記載の３次元表示装置。
【請求項４】
前記表示制御手段は、前記位置検出手段による前記接触の検出後に該接触が非検出となった場合、前記所定範囲の領域の表示次元の変更を少なくとも所定期間維持する手段であることを特徴とする請求項１記載の３次元表示装置。
【請求項５】
前記表示制御手段は、前記位置検出手段が前記接触を検出している間において、前記接触された位置が移動されると、表示次元が変更された前記所定範囲の領域を前記接触された位置の移動に応じて移動させる手段であることを特徴とする請求項１から４のいずれか１項記載の３次元表示装置。
【請求項６】
前記表示制御手段は、前記位置検出手段が前記接触を検出している間において、複数の接触位置を検出した場合、該複数の接触位置のうちの少なくとも２つの位置を基準とした前記所定範囲の領域を設定する手段であることを特徴とする請求項１から５のいずれか１項記載の３次元表示装置。
【請求項７】
前記表示制御手段は、前記複数の接触位置のうちの少なくとも２つの位置を基準とした小領域を設定し、該小領域を合成して前記所定範囲の領域を設定する手段であることを特徴とする請求項６記載の３次元表示装置。
【請求項８】
前記表示制御手段は、前記位置検出手段が前記複数位置の接触を検出している場合において、前記接触された位置が移動されると、該接触された位置の移動に応じて前記所定範囲の大きさを変化させる手段であることを特徴とする請求項６または７記載の３次元表示装置。
【請求項９】
画像の２次元表示および３次元表示が可能な表示手段と、
前記表示手段の表示面上において、接触された位置を検出するタッチパネル方式の位置検出手段とを備えた３次元表示装置における３次元表示方法であって、
前記画像を前記表示手段に２次元表示または３次元表示し、
前記位置検出手段が前記表示面における少なくとも１つの位置において前記接触を検出すると、該位置検出手段が検出した位置を基準とした所定範囲の領域の表示次元を変更することを特徴とする３次元表示方法。
【請求項１０】
画像の２次元表示および３次元表示が可能な表示手段と、
前記表示手段の表示面上において、接触された位置を検出するタッチパネル方式の位置検出手段とを備えた３次元表示装置における３次元表示方法をコンピュータに実行させるためのプログラムであって、
前記画像を前記表示手段に２次元表示または３次元表示する手順と、
前記位置検出手段が前記表示面における少なくとも１つの位置において前記接触を検出すると、該位置検出手段が検出した位置を基準とした所定範囲の領域の表示次元を変更する手順とをコンピュータに実行させることを特徴とするプログラム。
【発明の詳細な説明】
【技術分野】
【０００１】
本発明は、タッチパネル方式の入力が可能な３次元表示装置および方法並びに３次元表示方法をコンピュータに実行させるためのプログラムに関するものである。
【背景技術】
【０００２】
複数の画像を組み合わせて３次元表示することにより、視差を利用して立体視できることが知られている。このような立体視は、同一の被写体を異なる位置から複数のカメラを用いて撮影することにより複数の画像を取得し、複数の画像に含まれる被写体の視差を利用して複数の画像を３次元表示することにより行うことができる。
【０００３】
具体的には、裸眼平衡法により立体視を実現する方式の場合、複数の画像を並べて配置して３次元表示を行うことができる。また、複数の画像の色を例えば赤と青のように異ならせて重ね合わせたり、複数の画像の偏光方向を異ならせて重ね合わせることにより、複数の画像を合成して３次元表示を行うことができる。この場合赤青メガネや偏光メガネ等の画像分離メガネを用いて、３次元表示された画像を目の自動焦点機能により融合視することにより、立体視を行うことができる（アナグリフ方式、偏光フィルタ方式）。
【０００４】
また、画像分離メガネを使用しなくても、バリア方式およびレンチキュラー方式のように、複数の画像を立体視可能な３次元表示モニタに表示して立体視することも可能である。この場合、複数の画像を垂直方向に短冊状に切り取って交互に配置することにより、３次元表示が行われる。また、画像分離メガネを使用したり、光学素子を液晶に貼ることで左右の画像の光線方向を変えながら、左右の画像を交互に表示することにより、３次元表示を行う方式も提案されている（スキャンバックライト方式）。
【０００５】
ところで、このような３次元表示を行う３次元表示装置において、部分的に２次元表示と３次元表示とを切り替え可能にする手法が提案されている（特許文献１〜３参照）。
【特許文献１】特開平９−３０４７３９号公報
【特許文献２】特開平５−２８４５４２号公報
【特許文献３】特開平７−７７７４８号公報
【発明の開示】
【発明が解決しようとする課題】
【０００６】
しかしながら、特許文献１〜３に記載された手法においては、３次元表示中において２次元表示するための領域をどのようにして指定するかが明確ではなく、操作者が２次元表示を所望する領域を指定することが困難である。
【０００７】
本発明は上記事情に鑑みなされたものであり、３次元表示時に容易に２次元表示する領域を指定できるようにすることを目的とする。
【課題を解決するための手段】
【０００８】
本発明による３次元表示装置は、画像の２次元表示および３次元表示が可能な表示手段と、
前記表示手段の表示面上において、接触された位置を検出するタッチパネル方式の位置検出手段と、
前記画像を前記表示手段に２次元表示または３次元表示し、前記位置検出手段が前記表示面における少なくとも１つの位置において前記接触を検出すると、該位置検出手段が検出した位置を基準とした所定範囲の領域の表示次元を変更する表示制御手段とを備えたことを特徴とするものである。
【０００９】
「タッチパネル方式」とは、操作者が指で触れることにより接触した位置を検出するもののみならず、タッチペン等により接触された位置を検出するものをも含む。
【００１０】
「所定範囲の領域」は、接触位置を基準としていればどのような形状であってもよく、例えば接触位置を中心とした円形の領域、接触位置を重心とした多角形の領域、接触位置が外周上にある円形の領域、および接触位置を頂点の１つとした多角形の領域等を所定範囲の領域として用いることができる。
【００１１】
これにより、操作者が所望とする領域に触れると、触れた位置を基準とした所定範囲の領域の表示次元が変更される。このため、操作者は表示された画像を見ながら所望とする領域の表示次元を容易に変更することができる。
【００１２】
とくに、３次元表示を行っている場合、画像がずれて見えるような場合があるが、それを見たのみでは、画像のずれが３次元表示によるものであるのか、撮影時の手ブレによるものであるのかが分からない。このような場合、本発明によれば、操作者は確認したい位置に触れてその位置を基準とした所定範囲の領域を２次元表示することにより、画像のずれが３次元表示によるものであるのか、手ブレによるものであるのかを容易に確認することができる。
【００１３】
なお、本発明による３次元表示装置においては、前記表示制御手段を、前記位置検出手段が前記接触を検出している間、前記所定範囲の領域の表示次元の変更を維持し、該接触が非検出となった場合、前記所定範囲の領域の表示次元を元に戻す手段としてもよい。
【００１４】
これにより、操作者は、表示面に触れ続ければ表示次元を変更した状態を維持することができる。
【００１５】
また、本発明による３次元表示装置においては、前記表示制御手段を、前記位置検出手段による前記接触の検出後に該接触が非検出となった場合、前記所定範囲の領域の表示次元の変更を維持し、該所定範囲の領域において前記位置検出手段が前記接触を検出すると、該所定範囲の領域の表示次元を元に戻す手段としてもよい。
【００１６】
これにより、操作者は表示次元を変更した状態を維持したまま、表示手段の表示面から手を離すことができる。また、触れた位置の表示次元を所望とするように切り替えることができる。
【００１７】
また、本発明による３次元表示装置においては、前記表示制御手段を、前記位置検出手段による前記接触の検出後に該接触が非検出となった場合、前記所定範囲の領域の表示次元の変更を少なくとも所定期間維持する手段としてもよい。
【００１８】
「少なくとも所定期間維持する」とは、所定範囲の領域の表示次元を変更した状態を何らかの指示があるまで維持する場合のみならず、表示次元を変更した状態を所定期間維持し、その後何らかの指示がなければ元の状態に戻すことをも含む。
【００１９】
これにより、操作者は表示次元を変更した後に、操作者は表示手段の表示面から手を離しても、表示次元を変更した状態を所定期間維持することができる。
【００２０】
また、本発明による３次元表示装置においては、前記表示制御手段を、前記位置検出手段が前記接触を検出している間において、前記接触された位置が移動されると、表示次元が変更された前記所定範囲の領域を前記接触された位置の移動に応じて移動させる手段としてもよい。
【００２１】
「移動」とは、接触した状態を維持しながら接触した位置を連続的に変化させるものであってもよく、接触を一旦解除した後に異なる位置に接触することにより、接触した位置を変化させるものであってもよい。
【００２２】
これにより、操作者は表示次元を変更した領域を移動させることができる。
【００２３】
また、本発明による３次元表示装置においては、前記表示制御手段を、前記位置検出手段が前記接触を検出している間において、複数の接触位置を検出した場合、該複数の接触位置のうちの少なくとも２つの位置を基準とした前記所定範囲の領域を設定する手段としてもよい。
【００２４】
この場合、前記表示制御手段を、少なくとも２つの位置の中心位置あるいは重心位置に基づいて前記所定範囲の領域を設定するようにしてもよく、前記複数の接触位置のうちの少なくとも２つの位置を基準とした小領域を設定し、該小領域を合成して前記所定範囲の領域を設定する手段としてもよい。
【００２５】
これにより、複数の接触位置が検出された場合でも、所定範囲の領域の表示次元を変更することができる。
【００２６】
またこの場合、前記表示制御手段を、前記位置検出手段が前記複数位置の接触を検出している場合において、前記接触された位置が移動されると、該接触された位置の移動に応じて前記所定範囲の大きさを変化させる手段としてもよい。
【００２７】
これにより、所定範囲の領域の大きさを変更することができる。
【００２８】
本発明による３次元表示方法は、画像の２次元表示および３次元表示が可能な表示手段と、
前記表示手段の表示面上において、接触された位置を検出するタッチパネル方式の位置検出手段とを備えた３次元表示装置における３次元表示方法であって、
前記画像を前記表示手段に２次元表示または３次元表示し、
前記位置検出手段が前記表示面における少なくとも１つの位置において前記接触を検出すると、該位置検出手段が検出した位置を基準とした所定範囲の領域の表示次元を変更することを特徴とするものである。
【００２９】
なお、本発明による３次元表示方法をコンピュータに実行させるためのプログラムとして提供してもよい。
【発明を実施するための最良の形態】
【００３０】
以下、図面を参照して本発明の実施形態について説明する。図１は本発明の第１の実施形態による３次元表示装置の構成を示す概略ブロック図である。図１に示すように本実施形態による３次元表示装置１は、ユーザが指で表示画面に触れることにより装置１に対する各種指示を入力するものであり、表示部２、入力部３、位置検出部４、表示制御部５、画像入力部６および３次元処理部７を備える。なお、本実施形態においては、３次元表示の方式としてはバリア方式を採用するものとする。
【００３１】
表示部２は、後述する画像入力部６から装置１に入力された画像を３次元表示したり、２次元表示したりすることが可能である。
【００３２】
入力部３はタッチパネルからなり、ユーザが指あるいはタッチペン等により入力部３に触れると、その部分の座標位置の情報が位置検出部４に出力される。なお、座標位置は入力部３上の所定位置（例えば左上隅）を原点とする座標である。
【００３３】
図２は表示部および入力部の構成を示す図である。図２に示すように表示部２は、バックライト２Ａ、バリアを表示するためのバリア用液晶２Ｂおよび画像を表示するための画像用液晶２Ｃとを備え、液晶２Ｃの手前側に入力部３のタッチパネルが配置されている。ここで、３次元表示を行う場合には、図３に示すようにバリア用液晶２Ｂにバリアを表示する。これにより、操作者の左の目には画像用液晶２Ｃに表示された左目用画像Ｌのみが、右の目には画像用液晶２Ｃに表示された右目用画像Ｒのみが届くため、操作者は画像を立体視することができる。一方、２次元表示を行う場合には、図４に示すようにバリア用液晶２Ｂのバリアの表示を停止する。これにより、操作者の左右の目には画像用液晶２Ｃに表示された左目用画像Ｌおよび右目用画像Ｒの双方が届くため、画像を立体視することができなくなり、結果として表示部２には２次元表示がなされることとなる。
【００３４】
ここで、３次元表示を行っている状態において、バリア用液晶２Ｂにおけるバリアの表示を図５に示すように部分的に停止すると、バリアの表示を停止した部分のみが２次元表示され、その他の部分は３次元表示されることとなる。本実施形態においては、後述する表示制御部５が、バリア用液晶２Ｂにおけるバリアの表示の有無を部分的に切り替えることにより、表示部２に表示される画像の２次元表示および３次元表示を部分的に切り替える。
【００３５】
位置検出部４は、入力部３が出力した表示部２の表示面上の座標位置、すなわち操作者が指示した位置を表す指示情報を表示制御部５へ出力する。
【００３６】
表示制御部５は、画像入力部６に入力された画像を表示部２に２次元表示させたり、３次元表示させたりする。また、操作者が触れることにより指示した位置を基準とした所定範囲の領域を変更領域として設定し、変更領域の表示次元を変更する。ここで、本実施形態においては、操作者が触れることにより指示した位置を中心とした半径ｒ０ｍｍの円形の領域を変更領域して用いるものとする。なお、操作者が指示した位置の特定は、位置検出部４から入力される指示情報に基づいて行う。
【００３７】
なお、変形領域は、操作者が触れた位置を中心とした円形の領域に限定されるものではなく、接触した位置を重心とした多角形の領域、接触した位置が外周上にある円形の領域、および接触した位置を頂点の１つとした多角形の領域等を変形領域としてもよい。
【００３８】
画像入力部６は、例えば、メモリカードに記録された画像を読み取るカードスロット等、装置１に３次元表示するための画像を入力するための各種インターフェースからなる。なお、画像を３次元表示するためには、同一の被写体を水平方向において異なる位置において撮影することにより取得した複数の画像が必要である。このため、画像入力部６からは、画像を３次元表示するための複数の画像が入力される。
【００３９】
３次元処理部７は、３次元表示するために、画像入力部６から入力された複数の画像に対して、３次元表示の方式に応じた３次元処理を行う。例えば、本実施形態においては、３次元表示の方式がバリア方式であるため、入力された画像が２つである場合、複数の画像を垂直方向に短冊状に切り取って交互に配置する３次元処理を行うことにより、３次元表示用の画像を生成する。
【００４０】
次いで、第１の実施形態において行われる処理について説明する。図６は第１の実施形態において行われる処理を示すフローチャートである。なお、以降の説明においては、まず表示部２には画像が３次元表示されるものとする。３次元表示の指示が行われることにより表示制御部５が処理を開始し、表示部２に画像の３次元表示を行う（ステップＳＴ１）。次いで、表示制御部５は、操作者が表示部２の表示面に触れることにより指示を行ったか否かの監視を開始する（ステップＳＴ２）。
【００４１】
ステップＳＴ２が肯定されると、操作者が触れることにより指示した位置を基準とした半径ｒ０ｍｍの領域を表示次元を変更する変更領域に設定し、変更領域の表示次元を変更する（ステップＳＴ３）。具体的には、表示制御部５は、バリア用液晶２Ｂにおける変更領域に対応する領域のバリアを消去することにより、図７に示すように変更領域Ａ０の２次元表示を行う。
【００４２】
続いて、表示制御部５は、操作者が表示面に接触中であるか否かの監視を開始する（ステップＳＴ４）。この監視は、位置検出部４から指示情報が入力され続けているか否かを判定することにより行う。ステップＳＴ４が否定されると、操作者が表示面から指を離してはいるものの、変更領域の表示次元を維持する（ステップＳＴ５）。これにより、操作者は変更領域の表示次元を変更した状態を維持したまま、表示部２の表示面から指を離すことができる。
【００４３】
次いで、表示制御部５は、操作者が変更領域に触れることにより、変更領域の指示を行ったか否かを判定し（ステップＳＴ６）、ステップＳＴ６が否定されるとステップＳＴ５に戻る。ステップＳＴ５が肯定されると、変更領域の表示次元を変更し（ステップＳＴ７）、ステップＳＴ１に戻る。
【００４４】
このように、第１の実施形態においては、操作者が表示部２の表示面の所望とする位置に触れると、その位置を基準とした変更領域の表示次元を変更するようにしたため、操作者は表示された画像を見ながら所望とする領域の表示次元を容易に切り替えることができる。
【００４５】
とくに、３次元表示を行っている場合、画像がずれて見えるような場合があるが、それを見たのみでは、画像のずれが３次元表示によるものであるのか、撮影時の手ブレによるものであるのかが分からない。このような場合、本実施形態によれば、操作者は確認したい位置に触れてその位置を基準とした変更領域を２次元表示することにより、画像のずれが３次元表示によるものであるのか、手ブレによるものであるのかを容易に確認することができる。
【００４６】
なお、上記第１の実施形態においては、ステップＳＴ４が否定された場合に変更領域の表示次元の変更を維持しているが、ステップＳＴ４が否定された場合には、変更領域の表示次元を元に戻すようにしてもよい。すなわち、操作者が表示面に触れている間のみ、変更領域の表示次元を変更するようにしてもよい。これにより、操作者は表示面に触れ続ければ表示次元を変更した状態を維持することができる。また、ステップＳＴ４が否定された場合に、所定期間経過した後に変更領域の表示次元を元に戻すようにしてもよい。
【００４７】
次いで、本発明の第２の実施形態について説明する。なお、第２の実施形態による３次元表示装置の構成は、第１の実施形態による３次元表示装置の構成と同一であるため、ここでは構成についての詳細な説明は省略する。図８は第２の実施形態の処理を示すフローチャートである。なお、第２の実施形態の処理は、第１の実施形態におけるステップＳＴ４が肯定された以降の処理のみが第１の実施形態と異なるため、ここではステップＳＴ４が肯定された以降の処理についてのみ説明する。
【００４８】
第１の実施形態におけるステップＳＴ４が肯定されると、表示制御部５は、操作者が指示している位置が移動したか否かを判定する（ステップＳＴ１１）。なお、操作者が指示している位置の移動は、指示した状態を維持しつつ表示面上を連続して移動させるものであってもよく、指示した状態を一旦解除した後に異なる位置に接触することにより、飛び飛びに移動させるものであってもよい。
【００４９】
ステップＳＴ１１が否定されるとステップＳＴ３に戻る。ステップＳＴ１１が肯定されると、変更領域の表示次元を変更した状態を維持したまま、操作者が移動した位置に変更領域を移動し（ステップＳＴ１２）、ステップＳＴ３に戻る。
【００５０】
図９は第２の実施形態における変更領域の移動を説明するための図である。初期状態において、図９の破線に示すように操作者が表示面に触れており、矢印に示すように表示面上の指示位置を移動させると、表示制御部５は、表示次元が変更された状態を維持したまま、変形領域Ａ０を移動する。これにより、操作者は変更領域Ａ０を所望とする位置に移動させることができる。
【００５１】
次いで、本発明の第３の実施形態について説明する。なお、第３の実施形態による３次元表示装置の構成は、第１の実施形態による３次元表示装置の構成と同一であるため、ここでは構成についての詳細な説明は省略する。図１０は第３の実施形態の処理を示すフローチャートである。なお、第３の実施形態の処理は、第１の実施形態におけるステップＳＴ４が肯定された以降の処理のみが第１の実施形態と異なるため、ここではステップＳＴ４が肯定された以降の処理についてのみ説明する。
【００５２】
第１の実施形態におけるステップＳＴ４が肯定されると、表示制御部５は、操作者が指示している位置が複数か否かを判定する（ステップＳＴ２１）。ステップＳＴ２１が否定されると、上記第２の実施形態におけるステップＳＴ１１の処理に進む。
【００５３】
ステップＳＴ２１が肯定されると、表示制御部５は、複数位置のうちの少なくとも２つの位置を基準とした小領域を設定し、小領域を合成して変更領域を設定する（ステップＳＴ２２）。図１１は小領域の合成を説明するための図である。初期状態において、図７に示すように操作者が表示面に触れていた場合において、図１１に示すように２本の指により表示面に触れた場合、指Ｆ１および指Ｆ２の指示位置を中心とする半径ｒ１ｍｍの小領域ａ１，ａ２をそれぞれ設定する。なお、半径ｒ１はｒ０以下であることが好ましい。そして、小領域ａ１，ａ２が滑らかにつながるように合成して変更領域Ａ０を設定する。
【００５４】
ステップＳＴ２２に続いて、表示制御部５は、操作者が指示している位置が移動したか否かを判定する（ステップＳＴ２３）。ステップＳＴ２３が否定されるとステップＳＴ２２に戻る。ステップＳＴ２３が肯定されると、変更領域Ａ０の大きさを変更し（ステップＳＴ１２）、ステップＳＴ３に戻る。
【００５５】
ここで、図１１に示す状態において指Ｆ１，Ｆ２の間を広げるように指示位置を移動すると、図１２に示すように変更領域Ａ０が拡大される。逆に指Ｆ１，Ｆ２の間を狭めるように指示位置を移動すると、図１３に示すように変更領域Ａ０が縮小される。これにより、操作者は所望とするように変更領域Ａ０の大きさを変更することができる。
【００５６】
なお、上記第３の実施形態においては、操作者は２本の指を用いて変更領域Ａ０の大きさを変化させているが、とくに表示面の面積が広い場合は、例えば図１４に示すように、左右３本ずつの指を用いて変更領域Ａ０の大きさを変更するようにしてもよい。この場合、６本の指Ｆ１〜Ｆ６の指示位置を中心とする半径ｒ１ｍｍの小領域ａ１〜ａ６をそれぞれ設定し、滑らかにつながるように小領域ａ１〜ａ６を合成して変形領域Ａ０を設定すればよい。また、この場合、すべての小領域ａ１〜ａ６を合成して変形領域Ａ０を設定するのみならず、小領域ａ１〜ａ６のうちの２以上の小領域を合成して変形領域Ａ０を設定するようにしてもよい。
【００５７】
また、上記第３の実施形態においては、接触位置を中心とする小領域を設定し、小領域を合成することにより変形領域を設定しているが、複数の接触位置のうちの少なくとも２つの接触位置の中心位置または重心位置を基準として変形領域を設定してもよい。
【００５８】
なお、上記第１から第３の実施形態においては、本発明による３次元表示装置を単独で用いているが、本発明による３次元表示装置を複数の撮影部を備えた複眼カメラに適用してもよい。この場合、本発明による３次元表示装置を、撮影時にスルー画像を表示するために用いることにより、画角の一部を表示次元を切り換えながら確認することができることとなる。
【００５９】
また、上記第１から第３の実施形態においては、バリア方式により３次元表示を行っているが、他の方式により３次元表示を行う場合にも、本発明を適用できる。例えば、レンチキュラー方式の場合、この場合、２つの画像を垂直方向に短冊状に切り取って交互に配置することにより３次元表示が行われるため、指示された領域のみ３次元表示のための２つの画像のうちのいずれかの画像のみを表示するようにすれば、その領域のみを２次元表示することができる。
【００６０】
また、上記第１から第３の実施形態においては、画像の３次元表示時に操作者が触れた位置を基準とした所定範囲の領域を２次元表示しているが、画像の２次元表示時に操作者が触れた位置を基準とした所定範囲の領域を３次元表示するようにしてもよい。
【００６１】
以上、本発明の実施形態に係る装置について説明したが、コンピュータを、上記の位置検出部４、表示制御部５に対応する手段として機能させ、図６，８，１０に示すような処理を行わせるプログラムも、本発明の実施形態の１つである。また、そのようなプログラムを記録したコンピュータ読取り可能な記録媒体も、本発明の実施形態の１つである。
【図面の簡単な説明】
【００６２】
【図１】本発明の第１の実施形態による３次元表示装置の構成を示す概略ブロック図
【図２】表示部および入力部の構成を示す図
【図３】バリア方式を説明するための図（その１）
【図４】バリア方式を説明するための図（その２）
【図５】部分的な２次元表示を説明するための図
【図６】第１の実施形態において行われる処理を示すフローチャート
【図７】第１の実施形態における変更領域の表示次元の変更を説明するための図
【図８】第２の実施形態において行われる処理を示すフローチャート
【図９】第２の実施形態における変更領域の表示次元の変更を説明するための図
【図１０】第３の実施形態において行われる処理を示すフローチャート
【図１１】第３の実施形態における変更領域の表示次元の変更を説明するための図
【図１２】第３の実施形態における変更領域の拡大を説明するための図
【図１３】第３の実施形態における変更領域の縮小を説明するための図
【図１４】第３の実施形態における３以上の指を用いての表示次元の変更を説明するための図
【符号の説明】
【００６３】
１    ３次元表示装置
２    表示部
３    入力部
４    位置検出部
５    表示制御部
６    画像入力部
７    ３次元処理部
【図１】
2010107685.tif 000003
【図２】
2010107685.tif 000004
【図３】
2010107685.tif 000005
【図４】
2010107685.tif 000006
【図５】
2010107685.tif 000007
【図６】
2010107685.tif 000008
【図７】
2010107685.tif 000009
【図８】
2010107685.tif 000010
【図９】
2010107685.tif 000011
【図１０】
2010107685.tif 000012
【図１１】
2010107685.tif 000013
【図１２】
2010107685.tif 000014
【図１３】
2010107685.tif 000015
【図１４】
2010107685.tif 000016